(57)【要約】【課題】  ＩＣカードのリーダ／ライタモジュールを金属物との干渉を抑える磁性体シートを採用しつつ、薄型化を図る。【解決手段】  非接触ＩＣカードのリーダ／ライタ装置単体、或いは、非接触ＩＣカードのリーダ／ライタ部を備えた電子機器の筐体内に組み込んで使用するＩＣカードのリーダ／ライタモジュール１０を、モジュール基板１１の一方の面の所定の領域に磁性体シート１４を固着すると共に、この磁性体シート１４に支持させてループアンテナ１２を配置し、モジュール基板１１の磁性体シート１４を除く領域に、ループアンテナ１２に接続する回路部品１３を実装して構成する。【選択図】      図６
2006107341.tif 000002
【特許請求の範囲】
【請求項１】
非接触でアクセス可能な情報保持体の読み取り機能または／および書き込み機能を備えたアクセス装置であって、
当該装置の基板の一方の面の所定の領域に磁性体層を設けると共に、この磁性体層に支持させてアンテナを配置し、前記基板の前記磁性体層を除く領域に、前記アンテナに接続する回路部品を実装したことを特徴とする情報保持体のアクセス装置。
【請求項２】
請求項１に記載の情報保持体のアクセス装置であって、前記アンテナをフレキシブル回路基板に形成して前記磁性体層の上に配置したことを特徴とする情報保持体のアクセス装置。
【請求項３】
請求項１又は２に記載の情報保持体のアクセス装置であって、前記基板上に、前記アンテナを搭載した前記磁性体層と前記回路部品とを横に並べて実装したことを特徴とする情報保持体のアクセス装置。
【請求項４】
請求項１から３の何れか１項に記載の情報保持体のアクセス装置を、機器を構成する筐体の、外部から前記情報保持体をかざせる位置に組み込んだことを特徴とする電子機器。
【請求項５】
請求項４に記載の電子機器であって、前記情報保持体のアクセス装置を組み込む部位の電子機器の筐体を、前記情報保持体の形状に均一に膨出させて前記情報保持体を載置できるようにし、この膨出部分の裏面側に前記情報保持体のアクセス装置を組み込んだことを特徴とする電子機器。
【請求項６】
請求項４に記載の電子機器であって、前記情報保持体のアクセス装置を組み込む部位の電子機器の筐体に、前記情報保持体をかざす位置を示すマークを施したことを特徴とする電子機器。
【請求項７】
請求項６に記載の電子機器であって、前記情報保持体のアクセス装置の前記アンテナを搭載した前記磁性体層を、前記筐体の縁部に近接する部位に位置させ、前記情報保持体の一部を前記筐体の外部に位置させた状態で、前記情報保持体に対してアクセスを行い得るように構成したことを特徴とする電子機器。
【請求項８】
請求項４から７の何れか１項に記載の電子機器であって、前記電子機器がノートブック型コンピュータであることを特徴とする電子機器。
【請求項９】
請求項５に記載の電子機器であって、前記電子機器がノートブック型コンピュータであり、前記膨出部分を前記コンピュータのキーボードに隣接するパームレスト部分に設けると共に、前記膨出部分の高さを、前記コンピュータの表示器とこの表示器の周囲に位置する枠部分との段差以内に形成したことを特徴とする電子機器。
【発明の詳細な説明】
【技術分野】
【０００１】
本発明は、ＩＣカードのリーダ／ライタモジュール等の情報保持体のアクセス装置、及びこのアクセス装置を組み込んだ電子機器に関し、特に、薄型化を図ったＩＣカードのリーダ／ライタモジュール、及び薄型化されたＩＣカードリーダライタによって装置の大型化を防止することができるＩＣカードのリーダ／ライタモジュールを組み込んだ電子機器に関する。
【背景技術】
【０００２】
近年、クレジットカード等のカードを使ったユーザー認証や電子マネー、表示を書き換えることができるポイントカードなどのサービスが増えている。このようなカードとしては、従来から磁気ストライプを備えた磁気カードが用いられてきたが、この磁気ストライプに記録されたデータは、強力な磁場の印加で消失したり、また、悪意のある第三者に磁気リーダで読み取られて悪用される虞があった。
【０００３】
一方、この磁気カードに代わってカードの内部にＩＣを組込み、このＩＣの入出力端子に接続する端子をカードの表面に露出させたＩＣカードが普及しつつある。ところが、このＩＣを組み込んだカードにしても、ＩＣに記録されたデータは接触式のリーダ／ライタで読み取る必要があるため、ＩＣカードをリーダ／ライタに挿入する必要があり、読み取りに手間がかかるという問題がある。
【０００４】
そこで、従来の磁気カードや接触型のＩＣカードに代わって、リーダ／ライタ機器との接触を必要としない非接触型ＩＣカードの需要が高まっている。非接触式のＩＣカードは鉄道やバスの定期券やプリペイド乗車券として、或いは、プリペイド式の電子マネーとして特定の店で買い物ができるようになってきている。
【０００５】
このような非接触式のＩＣカードには、ＩＣチップと周辺回路、及びループアンテナが搭載されており、同じくアンテナを備えたリーダ／ライタからの微弱な電磁波を捉えて動作し、ＩＣチップに記録されたデータをアンテナからリーダ／ライタに送り返すようになっている。この非接触式のＩＣカードを更に普及させるために、非接触式のＩＣカードのリーダ／ライタを色々な電子機器、例えば、パーソナルコンピュータに組み込む試みがある。
【０００６】
非接触ＩＣカードでは、接続端子が無いためにＩＣカードとリーダ／ライタとの位置関係によっては良好に通信できない場合が考えられる。従来のリーダ／ライタモジュールでは、大型のアンテナを使用することにより、ユーザーがＩＣカードとリーダ／ライタモジュールの位置合わせをあまり意識しなくても良好な通信が出来るように考慮されているものがある。また、電波の送出電力を上げて通信が良好に行えるようにしている場合もある。更に、小さいアンテナで、なおかつ送出電力を抑えたリーダ／ライタでは、ユーザーが正確にＩＣカードの位置決めできるように、一部のコンビニエンスストアで採用されているような、ＩＣカードを置く棚を設けているものもある。
【０００７】
ところで、非接触ＩＣカードに使用されているループアンテナを使用して良好な通信が出来るようにするためには、リーダ／ライタ側のアンテナの上下左右、及び裏面側には電波の送受信を阻害する金属物を配置しないようにする必要がある。そして、リーダ／ライタのアンテナ直下にどうしても金属物を配置する必要がある場合は、アンテナと金属物との間に磁性体シートを挿入する必要がある。
【０００８】
このように、ＩＣカードとデータ通信を行うために、アンテナコイルの下、又はリーダ／ライタのケースの裏にフレキシブルシート状の磁性体を貼り付ける例が特許文献１に記載されている。
【０００９】
図１（ａ）〜（ｃ）はリーダ／ライタに組み込まれる従来のＩＣカードのリーダ／ライタモジュール９の構成を示すものである。従来のＩＣカードのリーダ／ライタモジュール９は、図１（ａ）に示すように、基板１の上にループアンテナ２が印刷、或いは接着等の手段で取り付けられており、このループアンテナ２の脇にデータを記録するメモリを備えたＩＣチップを含む回路部品３が取り付けられている。そして、リーダ／ライタ９のループアンテナ２の直下に金属物が配置されている部位にこのリーダ／ライタ９を配置する必要がある場合は、図１（ｂ），（ｃ）に示すように、ループアンテナ２に対応する基板１の裏面には磁性体シート４が貼られており、この磁性体シート４によって金属物の影響を防ぐようになっている。
【００１０】
【特許文献１】特開２００１−２９８０２９５（図２とその説明部分）
【発明の開示】
【発明が解決しようとする課題】
【００１１】
しかしながら、アンテナを大型にしたり、送出電力を上げたりする方法では装置を小型化することが難しくなる。また、筐体にカードの位置合わせ用の棚を設ける方法では、ノート型のパーソナルコンピュータのパームレスト部等、ユーザーが通常手を置く場所にリーダ／ライタを内蔵する場合に邪魔になる。更に、小型の電子機器にリーダ／ライタを内蔵する場合に、金属物との干渉を抑えるために磁性体シートをアンテナの裏面に設ける必要がある場合には、リーダ／ライタモジュールの厚さが増大するので、これを小型電子機器に内蔵し難くなるという問題がある。
【００１２】
本発明は、大型のアンテナを使用することや、送出電力を上げることが出来ない小型の電子機器にＩＣカードのリーダ／ライタモジュールなど情報保持体のアクセス装置を内蔵させる場合に、アクセス装置の取り付け方法の簡略化を達成すると共に、金属物との干渉を抑える磁性体シートを採用してもアクセス装置の厚さが増大しないようにしたアクセス装置を提供することを目的としている。また、このアクセス装置を内蔵させた電子機器においてユーザーが情報保持体をかざす際に、情報保持体をかざす電子機器上の位置が視覚的に分かり易く、確実にその位置に情報保持体を誘導することができるアクセス装置を組み込んだ電子機器を提供することも目的としている。
【課題を解決するための手段】
【００１３】
前記目的を達成する本発明の情報保持体のアクセス装置、非接触でアクセス可能な情報保持体の読み取り機能または／および書き込み機能を備えたアクセス装置であって、当該装置の基板の一方の面の所定の領域に磁性体層を設けると共に、この磁性体層に支持させてアンテナを配置し、基板の磁性体層を除く領域に、アンテナに接続する回路部品を実装したことを特徴としている。
【００１４】
この情報保持体のアクセスアクセス装置では、アンテナをフレキシブル回路基板に形成して磁性体層の上に配置することができる。また、基板上に、アンテナを搭載した磁性体層と回路部品とを横に並べて実装することができる。
【００１５】
一方、前記目的を達成する本発明の情報保持体のアクセス装置を組み込んだ電子機器は、前述の情報処理装置のアクセス装置を、機器を構成する筐体の、外部から情報保持体をかざせる位置に組み込んだことを特徴とするものである。
【００１６】
この電子機器では、アクセス装置を組み込む部位の電子機器の筐体を、情報保持体の形状に均一に膨出させて情報保持体を載置できるようにし、この膨出部分の裏面側にアクセス装置を組み込むことができる。また、アクセス装置を組み込む部位の電子機器の筐体に、情報保持体をかざす位置を示すマークを施しても良い。
【００１７】
更に、アクセス装置のアンテナを搭載した前記磁性体層を、筐体の縁部に近接する部位に位置させ、情報保持体の一部を筐体の外部に位置させた状態で、情報保持体に対してアクセスを行い得るように構成することができる。この電子機器はノートブック型コンピュータとすることができる。
【００１８】
更にまた、電子機器がノートブック型コンピュータである場合には、膨出部分をコンピュータのキーボードに隣接するパームレスト部分に設けると共に、膨出部分の高さを、コンピュータの表示器とこの表示器の周囲に位置する枠部分との段差以内に形成すれば良い。
【発明の効果】
【００１９】
以上説明したように、本発明の情報保持体のアクセス装置によれば、基板に取り付けた磁性体層をアンテナの支えとして兼用することにより、アクセス装置の厚さを低減することができると共に、取り付け方法の簡略化、通信品質の向上に寄与することが出来る。また、本発明の情報保持体のアクセス装置を組み込んだ電子機器によれば、ユーザーの持つ情報保持体を、アクセス装置にかざす位置に視覚的に正しく誘導することが出来る。
【発明を実施するための最良の形態】
【００２０】
図２（ａ）は本発明の一実施例として情報保持装置のアクセス装置であるＩＣカードのリーダ／ライタモジュール１０を上側から見たものである。この実施例のＩＣカードのリーダ／ライタモジュール１０では、モジュール基板１の上に、モジュール基板１の裏面側に金属がある場合のアンテナの送受信性能に影響を与えないようにするための磁性体シート１４が、接着等の手段により固着されている。そして、この磁性体シート１４の上面には、この磁性体シート１４に支持されたループアンテナ１２が配置されており、磁性体シート１４に隣接する部位のモジュール基板１１の上には、ループアンテナ１２に接続する回路部品１３が実装されている。
【００２１】
従って、図２（ｂ）に示すように、モジュール基板１１の裏面には何も設けられていない。そして、図２（ｃ）に示すように、この実施例のＩＣカードのリーダ／ライタモジュール１０では、磁性体シート１４とループアンテナ１２を合わせたモジュール基板１１からの高さｈが、回路部品１３のモジュール基板１１からの高さＨよりも低い。よって、この実施例のＩＣカードのリーダ／ライタモジュール１０は、図１（ａ）〜（ｃ）に示した従来のＩＣカードのリーダ／ライタモジュール９に比べて、磁性体シート１４の高さｔだけ厚さが薄くなっている。
【００２２】
図３（ａ），（ｂ）は、図２（ａ）〜（ｃ）に示したＩＣカードのリーダ／ライタモジュール１０の変形実施例のＩＣカードのリーダ／ライタモジュール１０Ａを示すものである。前述の実施例では、磁性体シート１４の上面に、捲線で構成されたループアンテナ１２が接着等の手段によって取り付けられていたが、この実施例では、ループアンテナ１２がフレキシブル回路基板１５に形成されており、このフレキシブル回路基板１５が磁性体シート１４の上面に取り付けられている。
【００２３】
このフレキシブル回路基板１５には、ループアンテナ１２の給電端子が形成された端子部１５Ａが設けられており、図３（ｂ）に示すように、この端子部１５Ａが回路部品１３に接続される。
【００２４】
図４（ａ）は本発明のＩＣカードのリーダ／ライタモジュール１０又は１０Ａを組み込んだ本発明の一実施例の電子機器２０にＩＣカード５をかざす様子を示すものである。この実施例の電子機器２０は、その筐体２１の上面２１ＡにＩＣカード５と同じ形状を有する膨出部２２が設けられている。この電子機器２０は、他のデータ処理装置の入出力デバイスとなるものであり、このデータ処理装置と有線または無線にて接続され、データ処理装置と情報のやりとりをする。従って、この電子機器２０はリーダ／ライタモジュール１０または１０Ａに実装されている回路部品３または１３以外に、データ処理装置と情報のやりとりをするために必要な回路部品（この回路部品は公知のものを採用すれば良いので説明は省略する）が内蔵されるようにしてもよい。なお、一般に、ＩＣカード５の内部には、ループアンテナ６，ＩＣチップ７、及びメモリを含む周辺回路８が内蔵されている。
【００２５】
そして、筐体２１に設けられた膨出部２２の直下に、図４（ｂ）に示すように、例えば、図３（ａ），（ｂ）に示したＩＣカードのリーダ／ライタモジュール１０Ａが内蔵されている。このモジュール１０Ａには、前述のように、モジュール基板１１、ループアンテナ１２を備えたフレキシブル回路基板１５、回路部品１３、及び磁性体シート１４が備えられている。
【００２６】
従って、ＩＣカード５のユーザーは、このＩＣカード５を電子機器２０の筐体２１の上面２１Ａに設けられた膨出部２２の上に置いたり、膨出部２２にかざすだけで、ＩＣカード５の周辺回路８に記憶されている情報を、電子機器２０と遣り取りすることができる。また、ＩＣカードのリーダ／ライタモジュール１０Ａに設けられた磁性体シート１４の作用により、電子機器２０の内部に金属部材２３が存在しても、この金属部材２３がループアンテナ１２の性能に悪影響を及ぼさない。
【００２７】
図５は、本発明のＩＣカードのリーダ／ライタモジュール１０，１０Ａを組み込んだ電子機器がノートブック型コンピュータ３０である場合の一実施例を示すものである。この場合、ＩＣカードのリーダ／ライタモジュール１０，１０Ａは、ノートブック型コンピュータ３０の筐体３１のキーボード３４に隣接するパームレスト部分３１Ａの左側の部分に内蔵されている。そして、この実施例では、筐体３１のパームレスト部分３１Ａの左側の部分に、ＩＣカードのリーダ／ライタモジュール１０，１０Ａを収容する膨出部３２が設けられている。この膨出部３２の外形は、ＩＣカードの外形に略一致している。
【００２８】
また、この膨出部３２のパームレスト部分３１Ａからの高さＸは、コンピュータ３０のディスプレイ部の枠３９Ａの画面３９Ｂからの高さがＹよりも小さい。
この構成により、ＩＣカードを使用するユーザーは、膨出部３２を目印にしてＩＣカードをかざす、或いは、膨出部３２の上にＩＣカードを置けば良いので、ＩＣカードの認識率を高めることができる。
【００２９】
図６は図５に示したノートブック型コンピュータ３０の筐体３１を、上下に２分割した状態を示すものである。上側筐体３１Ｕには、キーボード３４とパームレスト部分３１Ａに設けられた膨出部３２がある。また、下側筐体３１Ｌの内部には、電源回路、フロッピィディスクドライブ、ハードディスク、ＣＤ−ＲＯＭのような光ディスクドライブ等があり、通常はこれらのデバイスは金属の筐体で覆われている。
【００３０】
以上のように構成されたノートブック型コンピュータ３０では、本発明のＩＣカードのリーダ／ライタモジュール１０，１０Ａは、筐体３１の膨出部３２の直下の部分に、金属フレーム３５に４箇所でねじ止めされて取り付けられる。この金属フレーム３５の下側筐体３１Ｌ内における位置が二点鎖線で示されている。
【００３１】
この図から分かるように、この実施例では、ＩＣカードのリーダ／ライタモジュール１０，１０Ａがノートブック型コンピュータ３０に内蔵された場合、ＩＣカードのリーダ／ライタモジュール１０，１０Ａの直下には、光ディスクドライブ３６が位置しており、その筐体は金属である。この場合でも、本発明のＩＣカードのリーダ／ライタモジュール１０，１０Ａでは、ループアンテナ１２は磁性体シート１４に支持されてモジュール基板１１の上に配置されているので、光ディスクドライブ３６の金属製筐体による悪影響がない。
【００３２】
図７は本発明のＩＣカードのリーダ／ライタモジュール１０，１０Ａを組み込んだノートブック型コンピュータ３０の別の実施例を示すものである。この実施例では、リーダ／ライタモジュール１０，１０Ａを組み込む部位の筐体３１、即ち、パームレスト部分３１Ａの左側の部分に、ＩＣカードをかざす位置を示すマーク３７が施されている。このマーク３７には、絵や指示が印刷されていても良い。また、このマーク３７が施されたパームレスト部分３７Ａは、他のパームレスト部分３７Ａと同平面である。
【００３３】
この構成でも、ＩＣカードを使用するユーザーは、マーク３７を目印にしてＩＣカードをかざす、或いは、マーク３７の上にＩＣカードを置けば良いので、ＩＣカードの認識率を高めることができる。
【００３４】
図８（ａ）〜（ｃ）は本発明のＩＣカードのリーダ／ライタモジュール１０，１０Ａを組み込んだノートブック型コンピュータ３０の、更に別の実施例を示すものである。この実施例では、リーダ／ライタモジュール１０，１０Ａは、図８（ｃ）に示すように、リーダ／ライタモジュール１０，１０Ａのループアンテナ１２が、筐体３１の縁部に近接する部位に位置決めされている。
【００３５】
そして、ノートブック型コンピュータ３０の筐体３１のパームレスト部分３１Ａには、ＩＣカードをかざす位置を示すマーク３８が施されている。このマーク３８は、ＩＣカードの全体形状ではなく、一部分の形状を示している。
【００３６】
この結果、図８（ｂ）に示すように、ＩＣカード５の一部を筐体３１の外部に位置させた状態で、即ち、ユーザーがＩＣカード５を手に持った状態で、ＩＣカード５に対してコンピュータ３０からのリード／ライトを行い得る。
【００３７】
この構成では、ＩＣカード５を使用するユーザーは、マーク３８を目印にしてＩＣカード５の一部をかざせば良く、コンピュータ３０の上にＩＣカード５を置く必要がないので、ＩＣカード５への読み書き、或いはＩＣカード５からのデータのコンピュータ３０側への伝達を容易に行うことができる。
【００３８】
なお、磁性体シート１４の下の部分のモジュール基板１１を無くして、モジュール基板１１を小さく作ることも考えられる。しかしこの場合は、ループアンテナ１２を支えるための部品が新たに必要になり、ループアンテナ１２を支える部品を固定するためのねじが増えてしまう。また、ねじは金属物であり、通信に影響を与える。このため、ねじ位置はアンテナとして使用できなくなり、通信品質が落ちるので、この構成は好ましくない。
【００３９】
以上、本発明の実施形態を説明したが、本発明は以下のような構成であっても良い。
本発明のアクセス装置である上記モジュールは、ＩＣカードに対するリード機能およびライト機能の双方を備えたものであったが、ＩＣカードの保持情報にアクセスできる装置であればリード機能、ライト機能のいずれかのみを備えたものであっても良い。
【００４０】
また、本発明のアクセス装置がアクセスする情報保持体としてカードを例示したが、本発明のアクセス装置はカード以外の情報保持体にアクセスするものであっても良い。例えば、アクセス対象となる情報保持体は、カード形状ではなく、例えば上記したループアンテナ、ＩＣチップ、メモリを実装した基板を内蔵した電子機器（携帯電話機や小型情報端末等）であっても良い。このメモリも電子機器の通常処理に利用される補助記憶装置を兼用したものであっても良い。さらに、このＩＣチップも電子機器の通常処理に利用されるＣＰＵを兼用したものであっても良い。さらに、アンテナもループアンテナに限定されるものではなく、アクセス装置からのアクセスを可能とするものであれば他の形態のアンテナであっても良い。
【００４１】
更に、本発明のアクセス装置の基板に設けられる磁気層として磁気シートを例示したが、プレート、ジェルなどアンテナを支持できるものであれば、その形状、種類を問わない。更にまた、マーク３７として絵や指示の印刷を例示したが、リーダ／ライタモジュール１０、１０Ａの組み込み部位に対応するパームレスト部分に情報保持体の外周に対応する溝を形成するようにしても良い。
【００４２】
以下に、本発明を付記する。
（付記１）
非接触でアクセス可能な情報保持体の読み取り機能または／および書き込み機能を備えたアクセス装置であって、
当該装置の基板の一方の面の所定の領域に磁性体層を設けると共に、この磁性体層に支持させてアンテナを配置し、前記基板の前記磁性体層を除く領域に、前記アンテナに接続する回路部品を実装したことを特徴とする情報保持体のアクセス装置。
（付記２）
付記１に記載の情報保持体のアクセス装置であって、前記アンテナをフレキシブル回路基板に形成して前記磁性体層の上に配置したことを特徴とする情報保持体のアクセス装置。
（付記３）
付記１又は２に記載の情報保持体のアクセス装置であって、前記基板上に、前記アンテナを搭載した前記磁性体層と前記回路部品とを横に並べて実装したことを特徴とする情報保持体のアクセス装置。
（付記４）
付記１から３の何れか１項に記載の情報保持体のアクセス装置を、機器を構成する筐体の、外部から前記情報保持体をかざせる位置に組み込んだことを特徴とする電子機器。
（付記５）
付記４に記載の電子機器であって、前記情報保持体のアクセス装置を組み込む部位の電子機器の筐体を、前記情報保持体の形状に均一に膨出させて前記情報保持体を載置できるようにし、この膨出部分の裏面側に前記情報保持体のアクセス装置を組み込んだことを特徴とする電子機器。
（付記６）
付記４に記載の電子機器であって、前記情報保持体のアクセス装置を組み込む部位の電子機器の筐体に、前記情報保持体をかざす位置を示すマークを施したことを特徴とする電子機器。
（付記７）
付記６に記載の電子機器であって、前記情報保持体のアクセス装置の前記アンテナを搭載した前記磁性体層を、前記筐体の縁部に近接する部位に位置させ、前記情報保持体の一部を前記筐体の外部に位置させた状態で、前記情報保持体に対してアクセスを行い得るように構成したことを特徴とする電子機器。
（付記８）
付記４から７の何れか１項に記載の電子機器であって、前記電子機器がノートブック型コンピュータであることを特徴とする電子機器。
（付記９）
付記５に記載の電子機器であって、前記電子機器がノートブック型コンピュータであり、前記膨出部分を前記コンピュータのキーボードに隣接するパームレスト部分に設けると共に、前記膨出部分の高さを、前記コンピュータの表示器とこの表示器の周囲に位置する枠部分との段差以内に形成したことを特徴とする電子機器。
（付記１０）
付記１に記載の情報保持体のアクセス装置であって、前記情報保持体はＩＣカードであることを特徴とする情報保持体のアクセス装置。
（付記１１）
付記１に記載の情報保持体のアクセス装置であって、前記磁性体層は磁性体シートであることを特徴とする情報保持体のアクセス装置。
【図面の簡単な説明】
【００４３】
【図１】（ａ）は従来のＩＣカードのリーダ／ライタモジュールを上側から見た斜視図、（ｂ）は（ａ）のＩＣカードのリーダ／ライタモジュールを背面側から見た斜視図、（ｃ）は（ａ）のＩＣカードのリーダ／ライタモジュールを矢印Ｃ方向から見た側面図である。
【図２】（ａ）は本発明の一実施例のＩＣカードのリーダ／ライタモジュールを上側から見た斜視図、（ｂ）は（ａ）のＩＣカードのリーダ／ライタモジュールを背面側から見た斜視図、（ｃ）は（ａ）のＩＣカードのリーダ／ライタモジュールを矢印Ａ方向から見た側面図である。
【図３】（ａ）は図２（ａ）のＩＣカードのリーダ／ライタモジュールの変形実施例の構成を示す組み立て斜視図、（ｂ）は（ａ）のＩＣカードのリーダ／ライタモジュールを矢印Ｂ方向から見た側面図である。
【図４】（ａ）は本発明のＩＣカードのリーダ／ライタモジュールを組み込んだ本発明の一実施例の電子機器にＩＣカードをかざす様子を示す斜視図、（ｂ）は（ａ）の電子機器の部分断面図である。
【図５】本発明のＩＣカードのリーダ／ライタモジュールを組み込んだノートブック型コンピュータの一実施例を示す斜視図である。
【図６】図５に示したノートブック型コンピュータに内蔵されたＩＣカードのリーダ／ライタモジュールの位置を説明する分解斜視図である。
【図７】本発明のＩＣカードのリーダ／ライタモジュールを組み込んだノートブック型コンピュータの別の実施例を示す斜視図である。
【図８】（ａ）は本発明のＩＣカードのリーダ／ライタモジュールを組み込んだノートブック型コンピュータの更に別の実施例を示す斜視図、（ｂ）は（ａ）に示したノートブック型コンピュータにＩＣカードをかざす様子を示す説明図、（ｃ）は（ａ）に示したノートブック型コンピュータに内蔵された本発明のＩＣカードのリーダ／ライタモジュールの筐体内の位置を示す部分平面図である。
【符号の説明】
【００４４】
１０    本発明のＩＣカードリーダ／ライタモジュール
１１    モジュール基板
１２    ループアンテナ
１４    磁性体シート
１５    フレキシブル回路基板
２０    電子機器
２１    筐体
２２    膨出部
２３    金属部材
３０    コンピュータ
【図１】
2006107341.tif 000003
【図２】
2006107341.tif 000004
【図３】
2006107341.tif 000005
【図４】
2006107341.tif 000006
【図５】
2006107341.tif 000007
【図６】
2006107341.tif 000008
【図７】
2006107341.tif 000009
【図８】
2006107341.tif 000010